(57)【要約】      （修正有）【課題】工事情報を表示する表示欄に工事情報を表示した表示物を容易に取り付けることが可能で、軽量、かつ、安価な黒板を提供する。【解決手段】黒板１は、表示面２と磁石固定用の凹部３と磁性体としての磁石４とを備える。黒板１の表面である表示面２は、複数の表示欄５を備える。複数の表示欄５は、黒板１の表示面２に設けられた区画線６によって区画された複数の四角形の表示領域７である。表示欄５として、例えば、工事内容の略図や工事名などの工事情報を表示する欄である工事情報表示欄８、及び、予め項目を示す文字が印刷などされて表示されている項目既表示欄９を備える。【選択図】図１
0003144286.tif 000002
【実用新案登録請求の範囲】
【請求項１】
表示面に複数の表示欄が設けられた黒板において、工事情報を表示する欄に磁石が埋め込まれたことを特徴とする黒板。
【請求項２】
工事情報を表示する欄の角部に磁石が埋め込まれたことを特徴とする請求項１に記載の黒板。
【請求項３】
工事情報を表示する欄を形成する区画線に沿って磁石が埋め込まれたことを特徴とする請求項１に記載の黒板。
【考案の詳細な説明】
【技術分野】
【０００１】
本考案は、工事情報を表示する表示欄に工事情報を表示した表示物を容易に取り付けることが可能な黒板に関する。
【背景技術】
【０００２】
従来、工事現場で使用する黒板として、工事情報を表示する表示欄に工事情報を表示した表示物を取り付けるために表示面全体を磁性体により形成した構成の黒板が知られている（例えば、特許文献１参照）。
【特許文献１】登録実用新案第３００８７０６号公報
【考案の開示】
【考案が解決しようとする課題】
【０００３】
しかしながら、表示面全体が磁性体により形成された構成の黒板は、重くなって持ち運びが大変になるとともに、コスト高となるという課題があった。
【０００４】
そこで、本考案は、工事情報を表示する表示欄に工事情報を表示した表示物を容易に取り付けることが可能で、軽量、かつ、安価な黒板を提供する。
【課題を解決するための手段】
【０００５】
本発明による黒板は、表示面に複数の表示欄が設けられた黒板において、工事情報を表示する欄に磁石が埋め込まれたことを特徴とする。
工事情報を表示する欄の角部に磁石が埋め込まれたことも特徴とする。
工事情報を表示する欄を形成する区画線に沿って磁石が埋め込まれたことも特徴とする。
【考案の効果】
【０００６】
本考案に係る黒板によれば、黒板の工事情報を表示する欄に磁石が埋め込まれたので、工事情報を表示した表示物を容易に取り付けることができ、しかも、軽量で安価な黒板を提供できる。
工事情報を表示する欄の角部に磁石が埋め込まれたので、表示物を表示面の角部に合わせて容易に取り付けることができる。
区画線に沿って磁石が埋め込まれたので、表示物を表示面の区画線に沿って容易に取り付けることができる。
【考案を実施するための最良の形態】
【０００７】
図１（ａ）は黒板に印刷物を固定部材で貼付けた状態を表す斜視図。図１（ｂ）は黒板に印刷物を固定部材で貼付ける貼付け方法を表す斜視図。図２（ａ）は黒板の正面図、図２（ｂ）は図２（ａ）のＡ−Ａ断面図。
【０００８】
最良の形態１．
図１，図２に示すように、黒板１は、表示面２と磁石固定用の凹部３と磁性体としての磁石４とを備える。黒板１の表面である表示面２は、複数の表示欄５を備える。複数の表示欄５は、黒板１の表示面２に設けられた区画線６によって区画された複数の四角形の表示領域７である。表示欄５として、例えば、工事内容の略図や工事名などの工事情報を表示する欄である工事情報表示欄８、及び、予め項目を示す文字が印刷などされて表示されている項目既表示欄９を備える。
【０００９】
凹部３は、黒板１の表示面２から黒板１の裏面１０に向けて延長する有底孔１１により形成される。凹部３は、工事情報表示欄８の４つの角部１２に形成される。磁石４が凹部３内に嵌め込まれることによって、磁石４が黒板１の工事情報表示欄８の４つの角部１２の位置に埋め込まれる。磁石４は、黒板１の表示面２に開口する凹部開口１３に位置され固定部材１４を磁力で吸着可能なように設けられる。例えば、凹部開口１３に臨む磁石４の面１５が黒板１の表示面２と同一平面上に位置するように設けられる。固定部材１４は鉄や磁石のような磁性体により形成される。固定部材の形状は磁石４と形状を合わせたものを用いてもよいし、帯状にしたものを用いてもよい。接着剤などで磁石４と凹部３の内壁１６とを結合すれば、凹部３からの磁石４の脱落を防止できる。
【００１０】
よって、工事情報を表示した四角の紙のような表示物１７の４つの角部１８を工事情報表示欄８の４つの角部１２の上に位置させた後に表示物１７の４つの角部１８の上に固定部材１４を設けて固定部材１４と磁石４とをくっつける。これにより、表示物１７の４つの角部１８が固定部材１４と磁石４との間に挟まれた状態となって、表示物１７が工事情報表示欄８に取り付けられる。
【００１１】
最良の形態１によれば、工事情報表示欄８の４つの角部１２の位置に磁石４が埋め込まれた構成としたので、工事情報表示欄８に表示物１７を簡単に取り付けることができ、しかも、軽量で安価な黒板１を提供できる。
【００１２】
尚、黒板１に埋め込まれた磁性体、固定部材１４を形成する磁性体のうちの少なくとも一方が磁石４であればよく、両者を磁石４としてもよい。
【００１３】
凹部３は、黒板１の裏面１０から黒板１の表示面２に向けて延長する有底孔１１により形成してもよい。即ち、黒板１の裏面１０に開口する有底孔１１により形成された凹部３でもよい。黒板１の表示面２と裏面１０とに貫通する貫通孔により形成された凹部３でもよい。
【００１４】
最良の形態２．
図３に示すように、黒板１は表示面板３０と枠体２３と磁石固定用の凹部３と磁石４とを備える。
表示面板３０は矩形状の基板２９を備え、基板２９の一方の面に表示面２が形成される。基板２９は例えばベニヤにより形成される。枠体２３は表示面板３０の裏面１０の周縁部２２に沿って取り付けられる枠である。
凹部３は表示面板３０の表示面２と表示面板３０の裏面１０とに貫通した貫通孔２０と貫通孔２０の裏側開口２４を塞ぐように表示面板３０の裏面１０に取り付けられた磁石固定材２１とによって形成される。磁石固定材２１は例えば鉄板のような磁性体により形成される。磁石４は貫通孔２０に挿入されて磁石固定材２１に吸着することで磁石固定材２１に固定される。これによれば、黒板１の厚さを薄くできるので、黒板１の軽量化が計れる。枠体２３を備えるので、運搬が容易となるとともに、黒板１の表示面板３０の周縁部２２の反りの発生を防ぐことができる。また、磁石固定材２１が裏側開口２４を塞ぐように取り付けられたので、貫通孔２０の凹部開口１３から磁石４を挿入すれば磁石４と磁石固定材２１とが吸着により凹部３に固定されるため、凹部３への磁石４の取付が容易となる。
【００１５】
最良の形態３．
なお、上記最良の形態２では、貫通孔２０と磁石固定材２１とにより凹部３を形成したが、表示面板３０の表示面２から裏面１０に向けて貫通しない孔により凹部３を形成してもよい。
【００１６】
最良の形態４．
図４に示すように、工事情報表示欄８を形成する区画線６に沿って磁性体が埋め込まれた構成の黒板１であってもよい。この場合、工事情報表示欄８の内側において工事情報表示欄８を形成する区画線６に沿って凹部３を形成して当該凹部３に磁性体が嵌め込まれた構成としてもよいし、工事情報表示欄８の外側において工事情報表示欄８を形成する区画線６に沿って凹部３を形成して当該凹部３に磁性体が嵌め込まれた構成としてもよい。
【００１７】
最良の形態５．
磁性体が、工事情報表示欄８の一部、又は、工事情報表示欄８の全体に埋め込まれた構成の黒板１としてもよい。
【産業上の利用可能性】
【００１８】
表示面２に表示欄５が形成されていない黒板１において、黒板１の一部に磁性体を埋め込んだ構成の黒板１としてもよい。この場合、黒板１に埋め込まれた磁性体の上に表示物１７を位置させ、固定部材１４を表示物１７の上から磁性体にくっつけることによって黒板１の表示面２に表示物１７を取り付けることができる。
表示物１７としてシート状の磁性体を用いれば、固定部材１４を不要とできる。
【図面の簡単な説明】
【００１９】
【図１】黒板に印刷物を固定部材で貼付ける貼付け方法を表す斜視図（最良の形態１）。
【図２】（ａ）は黒板の正面図、（ｂ）は（ａ）のＡ−Ａ断面を示す（最良の形態１）。
【図３】（ａ）は黒板の背面図、（ｂ）は（ａ）のＢ−Ｂ断面を示す（最良の形態２）。
【図４】（ａ）は黒板の正面図、（ｂ）は（ａ）のＣ−Ｃ断面を示す（最良の形態４）。
【符号の説明】
【００２０】
１  黒板、２  表示面、４  磁石、５  表示欄、６  区画線、１２  角部。
【図１】
0003144286.tif 000003
【図２】
0003144286.tif 000004
【図３】
0003144286.tif 000005
【図４】
0003144286.tif 000006